(57)【要約】【課題】  栽培基に播種してある場合であっても、常温で所要期間保存することができる植物栽培用セットを提供する。【解決手段】  栽培用器２内の収容部２０の中には適宜の養分を含有する栽培用土を適宜の深さまで充填して栽培用土層６が形成してあり、該栽培用土層６上には複数の種子Ｓ，Ｓ，…が播かれている。これら栽培用土層６及び種子Ｓ，Ｓ，…の上には覆土を種子Ｓ，Ｓ，…の全体が覆われるように充填して覆土層７が形成してある。そして、栽培用土層６の栽培用土及び覆土層７の覆土の水分含量は、種子Ｓ，Ｓ，…の水分含量より少なくなしてある。【選択図】  図１
2013081429.tif 000002
【特許請求の範囲】
【請求項１】
１又は複数の収容部を設けてなる収容器と、前記収容部内に充填された栽培基と、該栽培基に播かれた栽培用の種子とを備え、
前記栽培基の水分含量は前記種子の水分含量より少なくなしてある
ことを特徴とする植物栽培用セット。
【請求項２】
前記栽培基及び種子上には当該種子を覆う覆土が充填してあり、該覆土の水分含量は前記種子の水分含量より少なくなしてある請求項１記載の植物栽培用セット。
【請求項３】
前記収容部の開口を塞止する蓋部材及び／又は収容器の周囲を被覆する被覆部材を更に備え、収容部内への湿気の進入を防止してある請求項１又は２記載の植物栽培用セット。
【発明の詳細な説明】
【技術分野】
【０００１】
本発明は、収容器、栽培基及び種子を備え、当該種子から植物体を栽培するための植物栽培用セットに関する。
【背景技術】
【０００２】
例えば一般家庭の屋内又はベランダ等で種子から植物体を栽培する場合、鉢又はプランター等の栽培用器、栽培用土及び種子を各別に購入しておき、又は、栽培用器、袋詰めされた栽培用土及び袋詰めされた種子を備える植物栽培用セットを購入しておき、栽培用器内に栽培用土を投入した後に、当該栽培用土に種子を播く播種作業を行い、この栽培用土に適宜の間隔で給水している。
【０００３】
しかし、栽培用土を栽培用器内へ投入する作業は、栽培用土が栽培用器の周囲に飛散して屋内又はベランダを汚す虞があり、また前述した播種作業は、未経験者にあっては播種密度及び播種深さ等が分からないのに加え、当該作業中に栽培用土によって手が汚れるため敬遠される場合があった。そのため、種子から植物体をより手軽に栽培できる手段の開発が要求されていた。
【０００４】
かかる要求に対して、後記する特許文献１には次のような植物栽培用セットが開示されている。すなわち、培養土を圧縮して円柱型に成形して培養土塊を得、この培養土塊の表面に種子を接着しておく。播種済みの培養土塊は所定の収容容器内に収容してあり、該収容容器には蓋体が嵌合してある。そして、収容容器から蓋体を取り外し、そこに収容された培養土塊に給水する。
【０００５】
このような植物栽培用セットにあっては、培養土塊に触れることなく、種から植物体を栽培することができるため、収容容器の周囲及び手が汚れることがなく、未経験者であっても手軽に栽培することができる。
【先行技術文献】
【特許文献】
【０００６】
【特許文献１】特開２０００−１２５６７１号公報
【発明の概要】
【発明が解決しようとする課題】
【０００７】
しかしながら、このような従来の植物栽培用セットにあっては、常態の培養土を圧縮してなる培養土塊に種を接着してあるため、常温では保存性が極めて低く、流通販売路においては発芽可能温度にならないように温度管理を実施しなければならない。そのような温度管理を行うための設備の導入、当該設備の運転には比較的多くのコストを要するため、従来の植物栽培用セットの普及の障害となっていた。
【０００８】
本発明は斯かる事情に鑑みてなされたものであって、栽培用土といった栽培基に播種してある場合であっても、常温で所要期間保存することができる植物栽培用セットを提供する。
【課題を解決するための手段】
【０００９】
（１）本発明に係る植物栽培用セットは、１又は複数の収容部を設けてなる収容器と、前記収容部内に充填された栽培基と、該栽培基に播かれた栽培用の種子とを備え、前記栽培基の水分含量は前記種子の水分含量より少なくなしてあることを特徴とする。
【００１０】
本発明の植物栽培用セットにあっては、１又は複数の収容部を設けてなる収容器を備えている。収容器の収容部内には、植物の栽培に適した自然土又は基体に植物の栄養素を浸潤させた人工土といった栽培基が充填されており、この栽培基に栽培用の種子が播かれている。かかる栽培用の種子は、植物体から採取した採取種子をその保存性を向上させるために９％以上１４％未満の水分含量になるまで乾燥させてある。一方、前記栽培基の水分含量は当該栽培基に播かれた種子の水分含量より少なくなしてある。
【００１１】
当初、栽培基に種子が予め播いてある植物栽培用セットを常温で１カ月以上の期間保存可能になすには、栽培基の水分含量も９％以上略１４％未満になせばよいと考えられた。
【００１２】
しかしながら、水分含量が９％以上１４％未満の栽培基を用いた場合であっても、当該栽培基に播く種子の水分含量を超える場合、常温で保存すると若干の率で発芽が観察された。これに対して、種子の水分含量より少ない水分含量になした栽培用基を収容部に充填した場合、常温で１カ月以上保存しても、種子の発芽は全く観察されないのである。
【００１３】
これによって、植物の栽培に適した栽培基に種子が予め播いてある場合であっても、常温で所要期間保存することができるため、流通販売路における植物栽培用セットの温度管理が不要となり、店頭にあっても任意の場所に植物栽培用セットを配置することができる。一方、植物の栽培に適した栽培基に種子が予め播いてあるため、播種も施肥も行うことなく、給水するだけで種子から植物体を良好に栽培することができる。
【００１４】
（２）また、本発明に係る植物栽培用セットは、前記栽培基及び種子上には当該種子を覆う覆土が充填してあり、該覆土の水分含量は前記種子の水分含量より少なくなしてあることを特徴とする。
【００１５】
本発明の植物栽培用セットにあっては、前述した栽培基及び種子上には当該種子を覆う覆土が充填してあり、これによって種子を可及的に遮光して、植物体の栽培環境を良好になしている。このとき、覆土の水分含量は栽培基に播かれた種子の水分含量より少なくなしてあり、これによって前同様、植物の栽培に適した栽培基に種子が予め播いてある場合であっても、常温で所要期間保存することができる。
【００１６】
（３）一方、本発明に係る植物栽培用セットは、前記収容部の開口を塞止する蓋部材及び／又は収容器の周囲を被覆する被覆部材を更に備え、収容部内への湿気の進入を防止してあることを特徴とする。
【００１７】
本発明の植物栽培用セットにあっては、収容部の開口を塞止する蓋部材及び／又は収容器の周囲を被覆する被覆部材を更に備えている。例えばパッキンが設けてある蓋部材を用いた場合、当該蓋部材にて収容部の開口を塞止すると気密が保たれて収容部内への湿気の進入を防止することができる。また、そのような構成になされていない蓋部材を用いた場合、又は蓋部材を用いない場合は、被覆部材によって収容器の周囲を気密を保持するように被覆することによって、収容部内への湿気の進入を防止することができる。
【００１８】
このように、収容部内への湿気の進入を防止することによって、植物栽培用セットの保存中、収容部内に充填された栽培基、覆土の水分含量が種子の水分含量を超えることが回避され、所要期間安定して保存することができる。
【図面の簡単な説明】
【００１９】
【図１】本発明に係る植物栽培用セットの一例を示す模式的縦断面図である。
【図２】図１に示した植物栽培用セットでスプラウトを栽培した状態を示す模式的縦断面図である。
【発明を実施するための形態】
【００２０】
図１は、本発明に係る植物栽培用セットの一例を示す模式的縦断面図であり、図中、２は収容器たる栽培用器である。なお、図１の植物栽培用セット１はスプラウトの栽培に適用した場合を示している。
【００２１】
栽培用器２は、樹脂、金属、焼結材、又は内側になす面を疎水性の材料若しくは薬剤で処理してなる紙材若しくは木材等、適宜の材料を用いてカップ状又は鉢状等の適宜の形状に成形してある。ここで、図１に示した栽培用器２にあっては、スプラウトを栽培すべく比較的浅いカップ状に成形したものを用いている。
【００２２】
栽培容器２の底部２１には排水口２３が該底部２１を貫通する様態で開設してあり、底部２１の外面側である栽培用器２の底面には、排水口２３を塞止する塞止部材５が剥離可能に貼着してある。
【００２３】
栽培用器２内の収容部２０（図２参照）の中には適宜の養分を含有する栽培用土を適宜の深さまで充填して栽培用土層６が形成してあり、該栽培用土層６上には複数の種子Ｓ，Ｓ，…が播かれている。ここで、前述した如く栽培用器２の底部２１に開設された排水口２３は塞止部材５で塞止してあるため、栽培用土層６の栽培用土は排水口２３から流出すること無く充填することができる。
【００２４】
これら栽培用土層６及び種子Ｓ，Ｓ，…の上には、バーミキュライトというように嵩比重が前記栽培用土より相対的に小さい覆土を種子Ｓ，Ｓ，…の全体が覆われるように充填して覆土層７が形成してあり、種子Ｓ，Ｓ，…の発芽及び芽の生長を妨げることなく、種子Ｓ，Ｓ，…を可及的に遮光している。
【００２５】
栽培用器２の開口部２２は蓋部材３にて開閉可能に塞止してある。前述した覆土層７は、開口部２２を蓋部材３で塞止する際に、蓋部材３にて栽培用器２の底部２１側へ比較的軽く押し込まれるような深さになしてあり、これによって開口部２２を蓋部材３で塞止した状態では覆土層７、種子Ｓ，Ｓ，…及び栽培用土層６が栽培用器２内で固定される。従って、栽培用器２を移送中に、当該栽培用器２をいかなる角度になしても覆土層７、種子Ｓ，Ｓ，…及び栽培用土層６にずれが生じることが防止されるため、植物栽培用セット１をその配置姿勢に拘わらず持ち運ぶことができる。
【００２６】
栽培用器２及びその開口部２２を塞止した蓋部材３は防湿性を有するフィルム材を用いてなる被覆部材９でその全周囲を気密状態に被覆してあり、これによって栽培用器２の収容部２０内への湿気の進入を防止するとともに、栽培用器２から蓋部材３が外れることを防止している。
【００２７】
なお、相互に気密状態に嵌合して内部への湿気の進入を防止し得る蓋部材と栽培用器とを用いることもできる。かかる場合、前述した被覆部材９は不要であるので、栽培用器及び蓋部材を被覆部材９で被覆する工程を省略することができる。
【００２８】
ただし、前述した如き比較的廉価な蓋部材３及び栽培用器２を用い、蓋部材３と栽培用器２との間を気密状態に保持することができない場合であっても、前述した如く被覆部材９を用いることによって、栽培用器２の収容部２０内へ湿気が進入することを防止することができるため、全体として資材に要するコストを可及的に低減することができる。
【００２９】
なお、本実施の形態では栽培用器２及び蓋部材３をフィルム状の被覆部材９で被覆した場合について示したが、本発明はこれに限らず、防湿性の材料で形成した蓋部材３及び栽培用器２を用い、栽培用器２の開口部２２に嵌合させた蓋部材３と栽培用器２の周囲壁との間隙を、例えば防湿性テープで構成した被覆部材で塞止する構成になしてもよい。
【００３０】
更に、栽培用器を缶詰用の缶部材で構成してもよい。この場合、筒状部材の一端を塞止部で塞止した後に、その内部に栽培用土層６、種子Ｓ，Ｓ，…及び覆土層７をこの順に充填し、筒状部材の他端を蓋部で塞止して植物栽培用セットが構成されるが、栽培用器は筒状部材、塞止部及び蓋部にて一体的に形成される。このとき、蓋部はプルアップ式により脱離し得るよう構成するとよい。一方、栽培用器の底部である塞止部の適宜位置に、所要直径の排水口を形成すべくプルアップ式の排水部を設けておくとよい。これによって、被覆材及びテープ等を用いることなく、内部への湿気の進入を防止することができる。
【００３１】
ところで、本発明者が鋭意検討した結果、植物栽培用セット１を常温で１カ月以上の比較的長い期間保存可能になすには、栽培用土層６に用いる栽培用土及び覆土層７に用いる覆土の水分含量を調整することが重要であるという知見を得た。なお、栽培用土は、植物の栽培に適した自然土であってもよく、また基体に植物の栄養素を浸潤させた人工土であってもよい。つまり、栽培用土は栽培基と換言することができる。なお、人工土の基体としては、パーライト又はピートモスに粘土物質をコーティングしてなるもの等を用いることができる。
【００３２】
栽培用の種子Ｓ，Ｓ，…は、植物体から採取した採取種子をその保存性を向上させるために９％以上１４％未満の水分含量になるまで乾燥させてある。そのため、植物栽培用セット１を常温で１カ月以上の期間保存可能になすには、栽培用土層６に用いる栽培用土及び覆土層７に用いる覆土の水分含量も９％以上略１４％未満になせばよいと考えられた。
【００３３】
しかしながら、水分含量が９％以上１４％未満の栽培用土及び覆土を用いた場合であっても、種子Ｓ，Ｓ，…の水分含量を超える場合、常温で１カ月程度保存する試験を実施した結果、１０％程度の率で発芽が観察された。
【００３４】
これに対して、種子Ｓ，Ｓ，…の水分含量より少ない水分含量になした栽培用土及び覆土を用い、常温で１カ月程度保存する試験を実施した場合、種子Ｓ，Ｓ，…の発芽は全く観察されなかった。
【００３５】
かかる知見に基づいて、本発明に係る植物栽培用セット１にあっては、栽培用土層６に用いた栽培用土及び覆土層７に用いた覆土の水分含量は、種子Ｓ，Ｓ，…の水分含量より少なくなしてある。
【００３６】
すなわち、種子Ｓ，Ｓ，…、栽培用土層６に用いる栽培用土、及び覆土層７に用いる覆土の水分含量を予め測定しておき、栽培用土及び／又は覆土の水分含量が種子Ｓ，Ｓ，…の水分含量以上であった場合、栽培用土及び／又は覆土を種子Ｓ，Ｓ，…の水分含量未満になるように十分に乾燥させ、この乾燥させた栽培用土及び／又は覆土を栽培用土層６及び／又は覆土層７に用いるのである。
【００３７】
ここで、栽培用土及び覆土の乾燥作業は、天日であってもよく、また乾燥器によってもよい。また、乾燥後の栽培用土及び／又は覆土の水分含量は、種子Ｓ，Ｓ，…の水分含量未満であればよく、９％未満であってもよい。ただし、栽培用土及び覆土に含まれる結合水が除去されるような過酷な条件での乾燥は行わない。栽培用土及び覆土の構造が破壊され、給水しても復元しないからである。
【００３８】
図１に示した植物栽培用セット１にあっては、被覆部材９を取り除き、栽培用器２の底面に貼着した塞止部材５を剥離して排水口２３を解放する。次に、蓋部材３を外して、適宜の場所に配置し、覆土層７、種子Ｓ，Ｓ，…及び栽培用土層６に水を適宜の間隔で供給する。室温で７〜１０日程経過すると、図２に示した如く、種子Ｓ，Ｓ，…が発芽して適宜長さのスプラウトＳＰ，ＳＰ，…に生長する。このとき、給水による余剰水は栽培用器２の底部２１に開設された排水口２３から排出されるため、種子Ｓ，Ｓ，…及び該種子Ｓ，Ｓ，…から生長した根Ｒ，Ｒ，…が腐敗することが防止される。
【００３９】
ところで、栽培用器２を受ける受皿を用意しておき、当該受皿内に栽培用器２を載置しておくとよい。これによって、栽培用器２の排水口２３から排出される排水を受皿に受けて、周囲を汚すことが回避される。なお、蓋部材３を受皿形状に成形しておき、栽培用器２から外した蓋部材３を受皿として配設するように構成してもよい。
【００４０】
なお、本実施の形態にあっては、植物体としてスプラウトを栽培する場合について説明したが、本発明はこれに限らず、適宜の草花を栽培することができる。その場合、必要に応じて、栽培容器２の収容部２０の直径及び／又は深さの寸法を大きくしておき、また収容部２０の底部に水はけを向上させるべく、ボラ土、ボラ砂、山砂、かる石、パミス又は赤土等の石状部材を充填するとよい。
【００４１】
一方、本実施の形態にあっては、栽培容器２を収容器としても用いた場合について説明したが、本発明はこれに限らず、栽培用土層６、種子Ｓ，Ｓ，…及び覆土層７を収容する１又は複数の収容部を備え、該収容部の底部を解放可能になした収容器を用いてもよい。この場合、収容部の底部には前述した如き排水口２３は開設されていない。そのような収容器を用いた場合、所要デザインの栽培容器を別に準備しておき、当該栽培容器の上方で前記収容器の収容部の底部を解放させて、収容部内に収容された栽培用土層６、種子Ｓ，Ｓ，…及び覆土層７を栽培容器に投入し、該栽培容器で植物体を栽培することができる。
【００４２】
これによって、使用者は好みのデザインの栽培容器を用いて植物体を栽培することができる。また、収容器は水溶性材料を用いてカップ状に成形したものであってもよい。この場合、収容部の底部を解放させることなく、収容器をそのまま栽培容器２内に挿入すればよい。
【００４３】
ところで、種子Ｓ，Ｓ，…として好光性種子を栽培用土層６に播く場合は、覆土層７を省いた構成の植物栽培用セットとすることができる。
【実施例】
【００４４】
次に、比較試験を行った結果について説明する。
樹脂を円形カップ状に成形した複数の栽培容器（直径：１０ｃｍ、深さ：５ｃｍ）にそれぞれ水分含量が異なる栽培用土を相互に同量になるように充填した後、エン麦の種子（ペット用スプラウトエンバク、販売会社：雪印種苗株式会社）を４００粒ずつ播き、その上に覆土としてバーミキュライト（有限会社緑産業製）を相互に同量になるように充填した。そして、樹脂製の蓋部材で各栽培容器の開口を塞止し、更に各蓋部材及び各栽培容器の全周囲をビニール製の被覆材で気密状態に被覆した。そして、これら各検体を屋内に配置し、発芽の状況を毎日観察して発芽率を求めた結果を次表に示す。
【００４５】
なお、本比較試験に用いた栽培用土の組成及び質量割合は、ピートモス：ココスピート：焼成土（黒土）：ボラ土：焼きもみ殻：バーミキュライト＝３５：１５：１５：１５：１０：１０である。かかる栽培用土の水分含量は３４．３％であり、この水分含量の栽培用土を用いた検体を比較例１とした。また、この栽培用土を数日間、天日乾燥させることによって水分含量が１３．１％になしたものを用いた検体を比較例２とし、更に天日乾燥させることによって水分含量が８．１％になしたものを用いた検体を本発明例とした。
【００４６】
なお、水分含量は、被検査物を１０５℃の恒温器内で４８時間保持し、保持前後の被検査物の質量の変化量から算出した。また、同様にして測定したエン麦の種子の水分含量及び覆土の水分含量はそれぞれ１１．０％及び１．７％であった。また、前記エン麦の種子の発芽率は９４％である。
【００４７】
【表１】
2013081429.tif 000003
【００４８】
表から明らかな如く、栽培用土の水分含量が３４．３％の比較例１にあっては、室温で播種してから１４〜１６日程度経過すると６０％程度の発芽率で発芽していた。また、栽培用土の水分含量が１３．１％の比較例２にあっては、播種してから２５日程度経過すると１０％程度の発芽率で発芽していた。従って、栽培用土の水分含量が種子の水分含量より多い場合、１カ月以上常温で保存することはできない。
【００４９】
これに対して、栽培用土の水分含量が８．１％の本発明例にあっては、播種してから７０日以上程度経過しても、発芽率は零％であった。
【００５０】
なお、本実施例では、１０５℃の恒温器内で４８時間保持することによって水分含量を求めたが、本発明はこれに限らず、例えば高周波を用いる測定方法等、他の測定方法によって水分含量を求めるようにしてもよいことはいうまでもない。
【符号の説明】
【００５１】
１    植物栽培用セット
２    栽培容器（収容器）
３    蓋部材
５    塞止部材
９    被覆部材
２０    収容部
２１    底部
２３    排水口
Ｓ    種子
ＳＰ    スプラウト
Ｒ    根
【図１】
2013081429.tif 000004
【図２】
2013081429.tif 000005